(57)【特許請求の範囲】
【請求項１】
本体と、前記本体に取り外し可能に設けられ、前面部と天面部を有する前面パネルとを有する空気調和機のスイッチ構造において、
前記本体の前面にスイッチを設け、
前記前面パネルの前面部と天面部の稜部に前記スイッチを操作する操作部を設け、
前記前面パネルの前記操作部の近傍に表示部を設け、
前記前面パネルの稜部の内側に、前記前面パネルを前記本体に取り付けたときに前記前面パネルの上下左右方向の位置決めを行う位置決め部を設け、
前記本体の前面と天面の稜部には、前記位置決め部が係合する凹部又は突起が形成されることを特徴とする空気調和機のスイッチ構造。
【請求項２】
前記操作部は、
前記前面パネルの天面部の一部を形成し、前記前面パネルの稜部と連続する縁部を有する押圧部と、
該押圧部から前記前面パネルの前面部の内側に延びて前記本体のスイッチと対向する駆動部と、
前記押圧部から前記前面パネルの天面部の内面に沿って本体側に延びて先端に軸部を有し、該軸部が前記前面パネルに回動可能に取り付けられたアーム部と、
前記軸部に取り付けられ、前記駆動部がスイッチから離れる方向に付勢するばねとからなることを特徴とする請求項１に記載の空気調和機のスイッチ構造。
【請求項３】
前記前面パネルの天面部は、本体の天面を覆い、空気調和装置の上面を構成することを特徴とする請求項１又は２に記載の空気調和機のスイッチ構造。
【請求項４】
前記位置決め部は、前記本体に設けた前記凹部に嵌合する突片からなることを特徴とする請求項１から３のいずれかに記載の空気調和機のスイッチ構造。
【請求項５】
前記本体の前面の前記スイッチの近傍にＬＥＤを設け、
前記前面パネルの内面に、前記ＬＥＤと対向する位置に設けられたＬＥＤ表示窓と、該ＬＥＤ表示窓に挿通されＬＥＤの光を透過する光透過部材と、該光透過部材を押さえて保持する保持部材とを設け、
前記保持部材に切欠きを設けて、該切欠きの内側に前記操作部の駆動部が配置されるようにしたことを特徴とする請求項２に記載の空気調和装置のスイッチ構造。
【発明の詳細な説明】
【技術分野】
【０００１】
本発明は空気清浄機、除湿機、加湿器などの空気調和機のスイッチ構造に関する。
【背景技術】
【０００２】
特許文献１には、空気清浄機等の本体の内部にＬＥＤとスイッチを実装した基板を垂直に設け、前面右上部にＬＥＤの表示パネルを設け、本体天面右端部にスイッチの操作部を設けたスイッチ構造が記載されている。しかし、表示パネルと操作部が別の面にあるので、操作部を操作する際の表示パネルの視認性が悪いという問題があった。
【０００３】
特許文献２には、特許文献１と同様に本体の内部に基板を垂直に設け、前面にＬＥＤの表示パネルを設けているが、操作ボタンは本体の天面と前面の稜部に設けたスイッチ構造が記載されている。この構造では、操作ボタンは上面部と前面部からなるＬ字形を有し、上面部の端を本体の天面に回動自在に取り付け、前面部の下端には駆動部が上面部と略平行にスイッチに向かって突設されている。このように、操作ボタンの操作部が本体上面と前面の稜部にあるので、操作ボタンを操作する際の表示パネルの視認性が向上している。
【０００４】
近年、下部が手前に傾斜した傾斜部を有する前面カバーを本体に取り外し可能に設け、この傾斜部の右下部に表示パネルと操作部を設けたデザイン的に優れた空気調和機が特許文献３により提案されている。しかし、特許文献３の操作部は、前面カバー側の操作ボタンと本体側のスイッチとは正確に位置合わせしなければならないため、高精度が要求される。また、経年変化により前面カバーが変形し、操作ボタンとスイッチの距離が変化しやすいため、スイッチのクリック感が悪化する。さらに、操作部が前面カバーの傾斜部に配置されているため、操作部を押したときに製品がずれやすいという問題があった。
【先行技術文献】
【特許文献】
【０００５】
【特許文献１】特開２００４−３５６０３５号公報
【特許文献２】特開平１１−１９５３３９号公報
【特許文献３】特開２００９−２８１６９９号公報
【発明の概要】
【発明が解決しようとする課題】
【０００６】
本発明は、前記従来の問題点に鑑みてなされたもので、操作部を操作する際の表示パネルの視認性が良く、操作ボタンとスイッチの位置合わせが簡単で、操作ボタンとスイッチの距離が変化しにくく、操作ボタンを押しても本体がずれることのない空気調和機のスイッチ構造を提供することを課題とする。
【課題を解決するための手段】
【０００７】
前記課題を解決するために、本発明（請求項１）は、
本体と、前記本体に取り外し可能に設けられ、前面部と天面部を有する前面パネルとを有する空気調和機のスイッチ構造において、
前記本体の前面にスイッチを設け、
前記前面パネルの前面部と天面部の稜部に前記スイッチを操作する操作部を設け、
前記前面パネルの前記操作部の近傍に表示部を設け、
前記前面パネルの稜部の内側に、前記前面パネルを前記本体に取り付けたときに前記前面パネルの上下左右方向の位置決めを行う位置決め部を設け、
前記本体の前面と天面の稜部には、前記位置決め部が係合する凹部又は突起が形成されるものである。
【０００９】
本発明（請求項２）では、前記操作部は、
前記前面パネルの天面部の一部を形成し、前記前面パネルの稜部と連続する縁部を有する押圧部と、
該押圧部から前記前面パネルの前面部の内側に延びて前記本体のスイッチと対向する駆動部と、
前記押圧部から前記前面パネルの天面部の内面に沿って本体側に延びて先端に軸部を有し、該軸部が前記前面パネルに回動可能に取り付けられたアーム部と、
前記軸部に取り付けられ、前記駆動部がスイッチから離れる方向に付勢するばねと
からなることが好ましい。
【００１０】
本発明（請求項３）では、前記前面パネルの天面部は、本体の天面を覆い、空気調和装置の上面を構成することが好ましい。
【００１１】
本発明（請求項４）では、前記位置決め部は、前記本体に設けた被係合部に嵌合する係合部からなることが好ましい。本体の被係合部を係合凹部とし、前面パネルの係合部を係合突部としてもよいし、その逆でもよい。
【００１２】
本発明（請求項５）では、
前記本体の前面の前記スイッチの近傍にＬＥＤを設け、
前記前面パネルの内面に、前記ＬＥＤと対向する位置に設けられたＬＥＤ表示窓と、該ＬＥＤ表示窓に挿通されＬＥＤの光を透過する光透過部材と、該光透過部材を押さえて保持する保持部材とを設け、
前記保持部材に切欠きを設けて、該切欠きの内側に前記操作部材の駆動部が配置されるようにすることが好ましい。
【発明の効果】
【００１３】
本発明（請求項１）によれば、スイッチの操作部が前面パネルの前面部と天面部の稜部にあり、表示部が操作部の近傍にあるので、前面パネルの操作部を操作しながら表示部を見ることができ、表示部の視認性がよい。また、操作部が前面パネルの前面部と天面部の稜部にあるので、操作部とスイッチの距離が変化しにくく、クリック感も一定となり、良好な操作性を維持することができるうえ、稜部を下方に押し下げて操作しても、本体がずれることはない。また、位置決め部により前面パネルと本体の正確な位置決めができるので、操作部とスイッチの位置関係を維持することができる。

【００１５】
本発明（請求項２）によれば、操作部の駆動部、アーム部、ばねのいずれも前面パネルの内部にあり、押圧部のみが外側にあるので、押圧部の前面パネルの稜部と連続する縁部を押すことになるので、正確なスイッチ操作が可能となる。
【００１６】
本発明（請求項３）によれば、前面パネルの天面部は空気調和装置の上面を構成するので、前面パネルとともに空気調和装置の上面の清浄性が保たれる。また、前面パネルと空気調和装置の上面との一体性により、デザイン性が向上する。さらに、前面パネルの天面部が広いので、スイッチ操作部を稜部に取り付けるスペースを確保することができる。
【００１７】
本発明（請求項４）によれば、前面パネルを本体に取り付けるときに稜部の内側の係合部を本体の被係合部に嵌合するだけで、スイッチと押圧部の位置関係を正確に維持することができる。
【００１８】
本発明（請求項５）によれば、保持部材の切欠きによって操作部材の駆動部がガイドされるので、操作部の駆動部の内部カバーが不要となる。
【図面の簡単な説明】
【００１９】
【図１】空気清浄機の前面パネルの正面図（Ａ）、平面図（Ｂ）、側面図（Ｃ）。
【図２】空気清浄機の本体の正面図。
【図３】図２の一部拡大図。
【図４】空気清浄機の操作部及び表示部の断面図。
【図５】前面パネルの天面部の断面図。
【図６】前面パネルの天面部の断面図。
【図７】前面パネルの天面部の内側から上方を見た図。
【図８】操作部の斜視図（Ａ）、側面図（Ｂ）、平面図（Ｃ）及び捩りばねの側面図（Ｄ）。
【図９】スイッチの操作部の取付け状態を示す前面パネルの内側から見た斜視図。
【図１０】ＬＥＤの光透過部材（Ａ）及び保持部材（Ｂ）の斜視図、光透過部材の側面図（Ｃ）。
【発明を実施するための形態】
【００２０】
以下、本発明の実施の形態を添付図面に従って説明する。
【００２１】
図１は、本発明にかかるスイッチ構造を設けた空気清浄機１の前面パネル２を示す。前面パネル２は、矩形の鉛直な面の両端縁が後方に向かって湾曲した前面部３と、前面部３の上端縁から水平に延びる天面部４とからなっている。前面部３の中央には、空気を取り入れるルーバー５が形成されている。前面部３とこれに連続する天面部４とが形成する稜部６の右側部分には、第１スイッチ（切タイマー）操作部７ａと第２スイッチ（入/切選択スイッチ）操作部７ｂが設けられている。第１と第２のスイッチ操作部７ａ、７ｂの下方の前面部３には、横方向に延びるＬＥＤ表示窓８が設けられている。前面パネル２の前面部３と天面部４とが形成する稜部６の中央の内面には、位置決め部として１対の突片９が形成されている。
【００２２】
図２は、前面パネル２を取り外した状態の空気清浄機１の正面から見た本体１０を示す。本体１０には、前面パネル２のルーバー５を通過した空気をフィルタ１１を介して内部のファン（不図示）に吸い込むための吸込み口１２が形成されている。図３に示すように、本体１０の正面の右上には、第１スイッチと第２スイッチ用の２つのスイッチ孔１３ａ、１３ｂが形成され、該スイッチ孔１３ａ、１３ｂの下方には、空気清浄機１の複数のＬＥＤ孔１４が水平方向に１列に形成されている。スイッチ孔１３ａ、１３ｂ及びＬＥＤ孔１４を覆うようにシート１５が貼り付けられ、ＬＥＤ孔１４の部分は透明な窓になっている。
本体１０の前面と天面の稜部の中央には、前記前面パネル２の１対の突片９が係合する凹部１６が形成されている（図６参照）。
【００２３】
本体１０の内部には、図４に示すように、第１と第２のスイッチ１７ａ、１７ｂ（以下、一方のスイッチのみスイッチ１７という。）及び複数のＬＥＤ１８を実装した基板１９が鉛直方向に平行に配設されている。スイッチ１７は前記スイッチ穴１３に対向し、ＬＥＤ１８はＬＥＤ穴１４に対向している。スイッチ穴１３の入口には螺旋状の一対の支持アーム２０で支持された駆動軸２１がスイッチ１７を押圧可能に配設されている（図３参照）。
【００２４】
第１と第２のスイッチ操作部７ａ、７ｂは同一の構造であるので、第１のスイッチ操作部７ａ（以下、スイッチ操作部７という。）のみについて説明する。
【００２５】
図５に示すように、前面パネル２の前面部３と天面部４の稜部６には、稜部６を境にして前面部３と天面部４に跨る矩形の開口部２２が形成されている。天面部４の開口部２２の近傍には、稜部６に向かって開口するＣ字形の１対の軸受け部２３が図７に示すように稜部６と平行に形成されている。
【００２６】
スイッチ操作部７は、図８に示すように、押圧部２４と、駆動部２５と、１対のアーム部２６と、捩りばね２７とからなっている。
押圧部２４は、前面パネル２の天面部４の開口部２２を内側から外側に僅かに突出して、前面パネル２の天面部４の一部を形成するようになっている。押圧部２４の前片縁は前面パネル２の前面部３と天面部４の稜部６と連続する縁部２８を形成している。この縁部２８を除く押圧部２４の他の３つの辺縁には押圧部２４が天面部４の開口部２２から抜け出ないようにフランジ部２９が形成されている。また、縁部２８の下面には、当該縁部２８に平行に、押圧部２４が前面部３の開口部２２から抜け出ないようにスカート部３０が形成されている。
駆動部２５は、押圧部２４の下面から前面パネル２の内面に沿って下方に垂下し、断面がＵ字形で、該Ｕ字形の開口部が前面パネル２側を向くようになっている。駆動部２５の下端部は、図４に示すように、シート１５と駆動軸２１を介して本体１０のスイッチ１７と対向するようになっている。
１対のアーム部２６は、押圧部２４の下面から前面パネル２の天面部４の内面に沿って本体１０側に延びて先端に縁部２８に平行な１対の軸部３１を有している。一方の軸部３１の反対側には捩りばね２７を装着する突起３２が形成されている。他方の軸部３１の反対側には、スイッチ操作部７を軸受け部２３に取り付けるために１対のアーム部２６をセンター側にベンディングさせたときに突起３２に当接させてアーム部２６が必要以上に曲がって折損するのを防止する突起３３が形成されている。
突起３２に装着される捩りばね２７は、図９に示すように、一端がスイッチ操作部７の押圧部２４の下面に当接され、他端が前面パネル２の天面部４の内面に当接されている。これにより、スイッチ操作部７は、軸部３１を中心に押圧部２４が上方に押し上げられて、駆動部２５がスイッチ１７から離れる方向に付勢されている。
【００２７】
図１０は、ＬＥＤ１８の光を透過するアクリル樹脂などの乳白色の材料からなる光透過部材３４と、該光透過部材３４を保持するＨＩＰＳ（耐衝撃性ポリスチレン）樹脂などの灰色や黒色の材料からなる保持部材３５とを示す。
光透過部材３４は、矩形の平坦な基部３６と、該基部３６の前面に前面パネル２のＬＥＤ表示窓８に内側から嵌入する突条部３７と、前記基部３６の裏面に一体間隔で併設した複数の突部３８と、基部３６の一部に上方に突出する摘み片３９とからなっている。
保持部材３５は、光透過部材３４の複数の突部３８が嵌入する複数の孔４０が形成されている。また、保持部材３５の上端には、図９に示すように、前述したスイッチ操作部７の駆動部２５が内側に配置される切欠き４１が形成されている。
【００２８】
次に、以上の構成からなる本発明のスイッチ構造を備えた空気清浄機１のスイッチ操作部７の動作について説明する。
【００２９】
まず、前面パネル２を本体１０に取り付けると、前面パネル２の一対の突片９が本体１０の凹部１６に係合する。このため、簡単な構成と動作により、前面パネル２と本体１０の正確な位置決めができ、スイッチ操作部７とスイッチ１７との位置関係を維持することができる。
【００３０】
次に、図４において、スイッチ操作部７の押圧部２４の縁部２８又はその近傍を矢印Ａ方向に下方に押圧すると、スイッチ操作部７は軸部３１を中心に捩りばね２７の付勢力に抗して図４において反時計回りに回動する。押圧部２４の縁部２８は前面パネル２の前面部３と天面部４の稜部６の延長線上にあるので、この押圧部２４の縁部２８を下方に押圧しても、本体１０がずれたり傾いたりすることがない。また、スイッチ操作部７が前面パネル２の前面部２と天面部３の稜部６にあり、ＬＥＤ表示窓８がスイッチ操作部７の近傍にあるので、前面パネル２のスイッチ操作部７を操作しながらＬＥＤ表示窓８を見ることができ、視認性がよい。また、スイッチ操作部７が前面パネル２の前面部２と天面部３の稜部６にあるので、スイッチ操作部７とスイッチ１７の距離が変化しにくく、クリック感も一定となり、良好な操作性を維持することができる。
【００３１】
スイッチ操作部７の押圧部２４の押圧により、スイッチ操作部７が軸部３１を中心に回動すると、駆動部２５が図４中矢印Ｂ方向に右方に移動してシート１５を介して駆動軸２１を右方に移動させ、基板１９上のスイッチ１７を押圧する。これによりスイッチ１７がオンし、必要な動作が行われる。
スイッチ操作部７の押圧部２４の押圧を止めると、スイッチ操作部７は軸部３１を中心に捩りばね２７の付勢力により図４におい時計回りに回動する。これに伴い、駆動部２５が本体１０のシート１５から離れ、駆動軸２１はその螺旋状の支持アーム２０の弾性により図中左方向に移動する。これにより、スイッチ１７がオフし、動作が停止する。
【００３２】
このように、本実施形態では、スイッチ操作部７の駆動部２５、アーム部２６、捩りばね２７のいずれも前面パネル２の内部にあり、押圧部２４のみが外側にあるので、押圧部２４の前面パネル２の稜部６と連続する縁部２８だけを押すことになるので、正確なスイッチ操作が可能となる。
【００３３】
また、スイッチ操作部７の駆動部２５は、光透過部材３４を保持する保持部材３５の切欠き４１に配置されているので、前面パネル２を取り外す時に駆動部２５に力が加わり、破損する虞がない。また、駆動部２５の移動を妨げるような異物が進入することがなく、改めてスイッチ操作部７の駆動部２５用の内部カバーを設ける必要がない。
【００３４】
さらに、本実施形態では、前面パネル２の天面部４は空気調和装置の上面を構成するので、前面パネル２とともに空気調和装置の上面の清浄性が保たれる。また、前面パネル２と空気調和装置の上面との一体性により、デザイン性が向上する。さらに、前面パネル２の天面部４が広いので、スイッチ操作部７を稜部６に取り付けるスペースを確保することができる。
【００３５】
前記実施形態は、種々変更することができる。例えば、前記実施形態では、前面パネル２の天面部４は、空気清浄機１の上面の全体を構成しているが、空気清浄機１の上面の一部を構成してもよい。
また、前面パネル２の位置決め部である突片９は、前面パネル２の中央に限らず、それ以外の例えば前面パネル２の上辺の両側に設けてもよい。さらに、前面パネル２の位置決め部としては、前面パネル２に凹部を設け、この凹部に係合する突起を本体１０に設けてもよい。
【００３６】
前記実施形態は、空気清浄機で説明したが、取外し可能な前面パネルを有するものであれば、除湿機、加湿器などの他の空気調和機にも適用可能である。
【符号の説明】
【００３７】
１  空気清浄機
２  前面パネル
３  前面部
４  天面部
６  稜部
７  スイッチ操作部（操作部）
８  ＬＥＤ表示窓（表示部）
９  突片（位置決め部）
１０  本体
１６  凹部
１７  スイッチ
１８  ＬＥＤ
２４  押圧部
２５  駆動部
２６  アーム部
２７  捩りばね（ばね）
２８  縁部
３１  軸部
３４  光透過部材
３５  保持部材
４１  切欠き
【図１】
0005575700.tif 000002
【図２】
0005575700.tif 000003
【図３】
0005575700.tif 000004
【図４】
0005575700.tif 000005
【図５】
0005575700.tif 000006
【図６】
0005575700.tif 000007
【図７】
0005575700.tif 000008
【図８】
0005575700.tif 000009
【図９】
0005575700.tif 000010
【図１０】
0005575700.tif 000011